(57)【要約】【課題】厚みのある手袋であっても指部分の屈曲性に優れ、生産効率にも優れた手袋を提供することを目的とする。【解決手段】指部分を有する手袋Ａにおいて、前記指部分が、マチ部分と掌側の部分とが１つになった第１のパーツ１に、手の甲側の第２のパーツ２を指長手方向Ｘに縫合して指形状に合致した袋状にした形態の手袋Ａであって、前記第１のパーツ１と前記第２のパーツ２のうちの少なくとも１つのパーツを、曲げた状態の指の掌側半分又は手の甲側半分の外表面に似た立体形状に等しくなるような三次元形状に構成した。【選択図】図１
2014122453.tif 000002
【特許請求の範囲】
【請求項１】
指部分を有する手袋において、前記指部分の少なくとも一つの指部分が、マチ部分と掌側の部分とが１つになった第１のパーツに、手の甲側の第２のパーツを指長手方向に縫合して指形状に合致した袋状にした形態の手袋であって、
前記第１のパーツと前記第２のパーツの少なくとも１つのパーツを、曲げた状態の指の掌側半分又は手の甲側半分の外表面に似た立体形状に等しくなるような三次元形状に構成したことを特徴とする手袋。
【請求項２】
前記第１のパーツを、前記「曲げた状態の指の掌側半分の外表面に似た立体形状に等しくなるような三次元形状」にし、
前記三次元形状を、
前記指の第１関節部分，指の第２関節部分のうちの少なくとも１つの関節部分に対応する手袋の関節部位に、指先側のパーツの接続ラインが中央で引っ込む側に湾曲させるか、指の付け根側のパーツの接続ラインが中央で飛び出す側に湾曲させるかしたサブパーツを配置縫合することによって、
形成したことを特徴とする請求項１記載の手袋。
【請求項３】
前記第２のパーツを、前記「曲げた状態の指の手の甲側半分の外表面に似た立体形状に等しくなるような三次元形状」にし、
前記三次元形状を、
前記第２パーツを、右側部分のサブパーツと左側部分のサブパーツとを中央で縫合することによって構成するとともに、前記右側部分のサブパーツと前記左側部分のサブパーツとを平面視において相互に中央部で近接するように且つ先端側と付け根側に近づくに従って相互に離間するように湾曲させた形状にすることによって、
形成したことを特徴とする請求項２記載の手袋。
【請求項４】
前記第２のパーツを、前記「曲げた状態の指の手の甲側半分の外表面に似た立体形状に等しくなるような三次元形状」にし、
前記三次元形状を、
前記第２パーツを、右側部分のサブパーツと左側部分のサブパーツとを中央で縫合することによって構成するとともに、前記右側部分と左側部分の各サブパーツの指の関節部分に相当する部位で相互に相手側へ近接する側へこぶ状に突出するような形態に構成することによって、
形成したことを特徴とする請求項２記載の手袋。
【発明の詳細な説明】
【技術分野】
【０００１】
この発明は、厚みのある素材で製造される手袋であっても当該指部分の屈曲性に優れた機能を有する手袋に関する。勿論、本発明にかかる手袋は、薄手の手袋にも適用できる。
【背景技術】
【０００２】
レスキュー隊員は、災害現場等において、崩壊した建屋等において破断された金属片やエッジのあるコンクリート片等に触れることがある。このため、安全上の見地から、使用する手袋には、厚みのある手袋、例えば、アラミド繊維等の強化繊維で編成された編手袋からなるインナー手袋の外側に、0.8mm厚程度の牛革等の素材からなる革手袋をアウター手袋として配置した二重重ねの手袋が使用される。また、ロープを使用した救助活動では、ロープを把持して降下するようなことがあり、かかる場合にも、前記同様に、0.8mm厚程度の牛革等の素材からなる厚手の手袋が使用される。
【０００３】
一般に厚手の手袋であって、レスキュー用の手袋のように、指の屈曲性能が要求されるような場合には、掌側のパーツと手の甲側のパーツと、指部分の側面を形成する所謂「マチ（襠）」部分のパーツとが縫合されることによって作られる、所謂「マチ付き手袋」の形態の手袋であった。
この「マチ付き手袋」において、厚手にして指の屈曲性能を高めたい場合には、前記「マチ」部分自体を指の曲がる側にやや湾曲した形態（眉状の形態）にすることによって、指の屈曲性を改善することができる。
このような構成の手袋として、特許文献１等に記載される手袋がある。
【先行技術文献】
【特許文献】
【０００４】
【特許文献１】実開平１０−５７公報
【発明の概要】
【発明が解決しようとする課題】
【０００５】
しかしながら、前述したような「マチ付き手袋」の場合、手袋の各指部分にその両側の各マチ部分の四隅（４箇所）において縫合がおこなわれることから、縫合部分が嵩張ることからフィット感が損なわれる。
このため、掌側のパーツと指の両側の「マチ」部分とを一体にした所謂「ガンカット」型の手袋にして、前記フィット感を向上させることが考えられるが、かかる「ガンカット」型の手袋の場合には、厚手の手袋にすると、その構成に起因して、良好な指の屈曲性能を得ることができない。
従って、従来の手袋の場合、前述した「マチ付き」手袋であっても、「ガンカット」型の手袋であっても、フィット感があり且つ良好な指の屈曲性能を有する手袋を実現することができないというのが現状であった。
なお、素材に薄手の素材を使用すると、良好な指の屈曲性とフィット感を兼ね備えた手袋を実現することもできるが、かかる手袋の場合、鋭いエッジのある金属片やコンクリート片等と当接した場合に指に損傷を受ける可能性がある。
このため、かかる薄手の手袋の場合には、エッジのある金属片やコンクリート片と当接することが多く又激しいロープワークをおこなう可能性のあるレスキュー隊員にとって、使用し難い面がある。
また、前述したような要求は、自動二輪車等のライダー用手袋や一部の作業用手袋にも求められている。
本発明は、このような状況に鑑みておこなわれたもので、厚みのある手袋であっても指部分の屈曲性に優れ、しかも生産効率にも優れた手袋を提供することを目的とする。
【課題を解決するための手段】
【０００６】
本発明にかかる手袋は、指部分を有する手袋において、前記指部分の少なくとも一つの指部分が、マチ部分と掌側の部分とが１つになった第１のパーツに、手の甲側の第２のパーツを指長手方向に縫合して指形状に合致した袋状にした形態の手袋であって、
前記第１のパーツと前記第２のパーツの少なくとも１つのパーツを、曲げた状態の指の掌側半分又は手の甲側半分の外表面に似た立体形状に等しくなるような三次元形状に構成したことを特徴とする。
【０００７】
前述のように構成された本発明にかかる手袋によれば、第１のパーツと前記第２のパーツの少なくとも１つのパーツが前述のような形態をしていることから、当該第１のパーツと第２のパーツを縫合すれば、前記「曲げた状態」の当該曲げ具合に応じて、手袋の指部分が「指を掌側に曲げた状態」となるため、素材に厚手の革等を使用しても、良好な屈曲性とフィット感を兼ね備えた手袋を実現できる。例えば、牛革の手袋で言えば、０．８ｍｍ〜
１．０ｍｍ位の厚手の革を使用しても、良好な屈曲性能を有する手袋を実現できる。
また、縫合寸法の短い比較的単純な構成でもって、前記優れた作用効果を奏する手袋を製造できるため、生産性にも優れた手袋となる。
【０００８】
前記手袋において、前記第１のパーツを、前記「曲げた状態の指の掌側半分の外表面に似た立体形状に等しくなるような三次元形状」にし、
前記三次元形状を、
前記指の第１関節部分，指の第２関節部分のうちの少なくとも１つの関節部分に対応する手袋の関節部位に、指先側のパーツの接続ラインが中央で引っ込む側に湾曲させるか、指の付け根側のパーツの接続ラインが中央で飛び出す側に湾曲させるかしたサブパーツ（前記パーツの一部を構成する部品をいう。この明細書および特許請求の範囲において同じ）を配置縫合することによって、
形成すると、好ましい実施形態にかかる手袋となる。
【０００９】
前記手袋において、前記第２のパーツを、前記「曲げた状態の指の手の甲側半分の外表面に似た立体形状に等しくなるような三次元形状」にし、
前記三次元形状を、
前記第２パーツを、右側部分のサブパーツと左側部分のサブパーツとを中央で縫合することによって構成するとともに、前記右側部分のサブパーツと前記左側部分のサブパーツとを平面視において相互に中央部で近接するように且つ先端側と付け根側に近づくに従って相互に離間するように湾曲させた形状にすることによって、
形成すると、好ましい実施形態にかかる手袋となる。
【００１０】
前記手袋において、前記第２のパーツを、前記「曲げた状態の指の手の甲側半分の外表面に似た立体形状に等しくなるような三次元形状」にし、
前記三次元形状を、
前記第２パーツを、右側部分のサブパーツと左側部分のサブパーツとを中央で縫合することによって構成するとともに、前記右側部分と左側部分の各サブパーツの指の関節部分に相当する部位で相互に相手側へ近接する側へこぶ状に突出するような形態に構成することによって、
形成すると、好ましい実施形態にかかる手袋となる。
【発明の効果】
【００１１】
本発明にかかる手袋によると、厚みのある手袋であっても指部分の屈曲性に優れ、しかも生産効率にも優れた手袋を提供することができる。
【００１２】
しかも、前記第１のパーツあるいは第２のパーツは、予めサブパーツを縫合して１つのパーツにしておくことによって、従来のガンカット型手袋と同様に指部分の掌部分とその両側のマチ部分が一体になっていることから縫合すべき寸法が短くてよく、このため、生産効率にも優れたものとなる。
【図面の簡単な説明】
【００１３】
【図１】本発明の実施例にかかる厚手の素材を使用した手袋（この実施例では、レスキュー用の手袋）の概略の全体の構成（形態）を示す手袋の斜視図である。
【図２】図１に示す手袋の指部分（この実施例では中指部分）の第１のパーツを示す図で、（ａ）は第１のパーツを構成するサブパーツの平面視の形態を示す図、（ｂ）は（ａ）に示す各サブパーツを縫合して形成された第１のパーツの形態を示す図、（ｃ）は（ｂ）の側面図である。
【図３】図１に示す手袋の指部分（この実施例では中指部分）の第２のパーツを示す図で、（ａ）は第２のパーツを構成するサブパーツの平面視の形態を示す図、（ｂ）は（ａ）に示す各サブパーツを縫合して形成された第２のパーツの形態を示す図、（ｃ）は（ｂ）の側面図である。
【図４】図２とは別の複数の実施例にかかる各第１のパーツの構成を示す図である。
【図５】図２，図４とは別の複数の実施例にかかる各第１のパーツの構成を示す図である。
【図６】図３とは別の実施例にかかる第２のパーツの構成を示す図である。
【図７】図３,図６とは別の実施例にかかる第２のパーツの構成を示す図である。
【実施例】
【００１４】
（実施例）
以下、本発明の実施例にかかる手袋を、図面を参照しながら具体的に説明する。
【００１５】
図１において、Ａは厚手の素材（この実施例では０．８ｍｍ〜１．０ｍｍ程度の牛革）で製造された手袋で、かかる手袋Ａは、図２（ｂ）に示すように、各指部分（この図２では中指部分Ａ３を示す）がマチ部分（二点鎖線の外側の部分）１Ａと掌側の部分（二点鎖線の内側の部分）１Ｂとが１つになった第１のパーツ１に、図３（ｂ）に示すように、手の甲側の第２のパーツ２を、指長手方向に縫合して、図１に示す如く指形状に合致した袋状にした、所謂「ガンカット」型の指部分の形態を備えた手袋である。
【００１６】
前記第１のパーツ１は、この実施例では、図１あるいは図２に図示する如く、３つのサブパーツ、つまり、指先部分１ａと、その付け根側に位置する中央部分１bと、さらに指の付け根部分に位置する付け根部分１ｃとから構成されている。
そして、この実施例では前記指先部分１ａは、図２（ａ）に図示するように指の付け根側の端１ｇが、指部分の長手方向（図２（ａ）において、両矢印Ｘの示す方向参照）に略直交する略直線形状になっている。  また、前記中央部分１bは、その指先側の端１ｈおよび付け根側の端１ｊは、共に負の曲率からなる曲線で構成され、図２（ａ）の展開図において平面視が略「鼓」形状になっている。さらに、前記付け根部分１ｃは図２（ａ）に図示するように指先側の端１ｋは、指部分の長手方向（図２（ａ）において、両矢印Ｘの示す方向参照）に略直交する略直線形状になっている。
そして、前記指先部分１ａの付け根側の端１ｇは前記中央部分１bの指先側の端１ｈと重ね合わせた状態で縫合されるとともに、前記中央部分１bの指の付け根側の端１ｊは前記付け根部分１ｃの指先側の端１ｋと重ね合わせた状態で縫合されることによって、図２（ｂ），（ｃ）に図示するような形態を有する第１のパーツ１ができあがる。つまり、図２（ｂ），（ｃ）に図示するような、「曲げた状態の指の掌側半分の外表面に似た立体形状に等しくなるような三次元形状」の形態の、第１のパーツ１が形成される。なお、縫合線は図２において破線で示す。
【００１７】
前記第２のパーツ２は、この実施例では、図３に図示する如く、２つのサブパーツ、つまり、指部分の平面視（図３（ａ），（ｂ）参照）において、左側部分２ａと、その右方に位置するべき右側部分２ｂとから構成されている。
そして、この実施例では、前記第２パーツ２を、前記右側部分２ｂの左端と左側部分２ａの右端とを重ね合わせた状態で縫合することによって指部分の中央に指長手方向（図３（ａ）の両矢印Ｘ１参照）に縫合線が位置するように構成する。なお、縫合線は図３（ｂ）において破線で示す。  
そして、図３（ａ）に図示する如く、前記右側部分２ｂと前記左側部分２ａとは、平面視において相互に中央部２ｍで近接するように且つ先端２ｔ側と付け根２ｅ側に近づくに従って相互に離間するように湾曲させた形状に構成されている。  前記右側部分２ｂと前記左側部分２ａとは、線対象（長手方向の線（仮想線Ｘ１参照））となるように、徐々に互いに離間するように湾曲させた形状に構成されている。  つまり、前記左側部分２ａは図３（ａ）に図示するように指先側と指の付け根側にそれぞれゆくに従って平面視（図３（ａ）参照）において徐々に左側に湾曲した「眉」状の形態になっている。  また、前記右側部分２ｂは図３（ａ）に図示するように指先側と指の付け根側にそれぞれゆくに従って平面視（図３（ａ）参照）において徐々に右側に湾曲した「眉」状の形態になっている。
そして、前述したように、前記左側部分２ａの右端と前記右側部分２ｂの左端とが、図３（ｂ）に図示するように重ねられた状態で縫合されることによって、図３（ｂ），（ｃ）に図示するような形態、つまり「曲げた状態の指の手の甲側半分の外表面に似た立体形状に等しくなるような三次元形状」の形態の第２のパーツ２が形成される。
【００１８】
ところで、前記第１のパーツ１は、前述した図２，図４（ａ）に図示する実施形態の他に、曲げた状態の指の掌側半分の外表面に似た立体形状に等しくなるような三次元形状にするために、例えば、図４（ｂ）〜（ｈ）に図示するような形態にしても、本発明にかかる手袋を実現することができる。
つまり、図４（ｅ）に図示するように、図２あるいは図４（ａ）の構成に加えて、平面視において第１のパーツ１の指先部分１ａの指の付け根側の端１ｇおよび指の付け根部分１ｃの指先の指先側の端１ｋを共に負の曲率からなる曲線で構成した、形態にしてもよい。
あるいは、前記構成に代えて、図４（ｂ）に図示するように、平面視において第１のパーツ１の中央部分１ｂの指先側の端１ｈおよび指の付け根側の端１ｊを共に正の曲率からなる曲線で構成した略樽状の形態にしてもよいし、又は、図４（ｆ）に図示するように、図４（ｂ）の構成に加えて、平面視において指先部分１ａの指の付け根側の端１ｇおよび付け根部分１ｃの指先側の端１ｋを正の曲率からなる湾曲した線で構成してもよい。  あるいは、図４（ｃ），（ｄ）に図示するように、平面視において第１のパーツ１の中央部分１ｂの指先側の端１ｈおよび付け根側の端１ｊを指長手方向に略直交する直線で構成するとともに、指先部分１ａの指の付け根側の端１ｇおよび付け根部分１ｃの指先側の端１ｋを負又は正の曲率からなる曲線で構成することもできる。  さらには、図４（ｇ）に図示するように、平面視において第１のパーツ１の中央部分１ｂの指先側の端１ｈを指長手方向に略直交する直線で構成するとともに付け根側の端１ｊを負の曲率からなる曲線で構成し、第１のパーツ１の指先部分１ａの指の付け根側の端１ｇを負の曲率からなる曲線で構成し、付け根部分１ｃの指先側の端１ｋを指の長手方向に略直交する直線で構成してもよい。
また、図４（ｈ）に図示するように、平面視において第１のパーツ１の中央部分１ｂの指先側の端１ｈを指長手方向に略直交する直線で構成するとともに付け根側の端１ｊを正の曲率からなる曲線で構成し、第１のパーツ１の指先部分１ａの指の付け根側の端１ｇを正の曲率からなる曲線で構成し、付け根部分１ｃの指先側の端１ｋを指の長手方向に直交する直線で構成してもよい。
また、前述した実施形態に代えて、図５（ａ）〜（ｈ）に図示するように、第１のパーツ１を２つのサブパーツ、つまり指先部分１ａと付け根部分１ｃから構成することもできる。そして、これらの実施形態において、指先部分１ａの指の付け根側の端１ｇを、正あるいは負の曲率からなる曲線又は指の長手方向に略直交する直線で構成することができ、この場合に、付け根部分１ｃの指先側の端１ｋは正あるいは負の曲率からなる曲線で構成することができる。ここで、指先部分１ａの指の付け根側の端１ｇを指の長手方向に直交する直線で構成したときには、指の付け根部分１ｃの指先側の端１ｋは正あるいは負の曲率からなる曲線で構成する。
【００１９】
ところで、前記第２のパーツ２は、前述した図３に図示する実施形態の他に、曲げた状態の指の手の甲側半分の外表面に似た立体形状に等しくなるような三次元形状にするために、例えば、第２パーツ２の、前記右側部分２ｂの左端と左側部分２ａの右端とを、図６に図示するような形態に、つまり、指の第１関節部分と第２関節部分に相当する指部分の関節部分を互いの側にこぶ状の突設部分２ｎを形成しても、本発明にかかる手袋を実現することができる。
また、図７に図示するように、第２のパーツ２の指先部分２ｄを、前記図２，図４，図５の第１のパーツ１の指先部分２ａの形態と同じような形態のサブパーツで構成するとともに、第２のパーツ２の第１関節部分より指の付け根側の部分２ｒを、図３と同じような形態の右側部分２ｐと左側部分２ｑのサブパーツで構成するようにしても、前記本発明にかかる「曲げた状態の指の手の甲側半分の外表面に似た立体形状に等しくなるような三次元形状」を実現することができる。
【００２０】
ところで、製造に際しては、前記第１のパーツ１と第２のパーツ２とは、まず、それら第１のパーツ１と第２のパーツ２それぞれがそれらのサブパーツを縫合することによって形成され、しかる後に、これら第１のパーツ１と第２のパーツ２とを裏返した状態にして、当該第１のパーツ１と第２のパーツとが、縫合されることによって、指の形態をした袋状の形態に縫製されることになる。このため、前述した優れた作用効果を有する本発明にかかる手袋であっても、効率的に生産することが可能となる。
【００２１】
ところで、これまで手袋の中指部分を例に挙げて説明したが、この実施例にかかる図１に示す手袋Ａの場合、全ての指部分についても、つまり、親指部分Ａ１、人指し指部分Ａ２、薬指部分Ａ４、小指部分Ａ５についても同様に構成されている。  しかし、図１に図示する如く必ずしも手袋Ａの全ての指部分について、このように構成する必要はなく、必要な指部分、例えば、人指し指と中指と薬指と小指のみについて、あるいは親指と人指し指と中指のみについて、前述した如き構成にすることによって当該指部分については、屈曲性の良い手袋となる。
また、前記実施例では、中指部分について詳細に説明したが、図１に図示する如く、手袋のその他の部分の構成については、従来の手袋と同じ構成を採用することによって、本発明にかかる現実の手袋（図１の手袋参照）を製造することができることは、当業者であれば、言うまでもない。  このため、説明が冗長となるのを避けるべく、本発明と直接関連しない部分の説明は省略する。
また、前述した本実施例にかかる手袋Ａは、内側にインナー手袋が挿着され、二重手袋の形態で使用されるが、本手袋Ａを一重手袋として使用することもできる。
【００２２】
なお、前記実施例あるいは特許請求の範囲において、「正の曲率からなる曲線」とは、中央がその両側の部分より突出した形態の曲線を言い、「負の曲率からなる曲線」とは、中央がその両側の部分より凹んだ形態の曲線のことをいう。
【００２３】
なお、前記実施例は単なる実施例であって本発明の技術的思想を逸脱しない範囲で、種々の形態で実施できることは言うまでもない。
【産業上の利用可能性】
【００２４】
本発明にかかる手袋は、手袋の産業分野において利用することができる。
【符号の説明】
【００２５】
Ａ…手袋
１…第１のパーツ
１ａ…指先部分（サブパーツ）
１ｂ…中央部分（サブパーツ）
１ｃ…付け根部分（サブパーツ）
２…第２のパーツ
２ａ…左側部分（サブパーツ）
２ｂ…右側部分（サブパーツ）
【図１】
2014122453.tif 000003
【図２】
2014122453.tif 000004
【図３】
2014122453.tif 000005
【図４】
2014122453.tif 000006
【図５】
2014122453.tif 000007
【図６】
2014122453.tif 000008
【図７】
2014122453.tif 000009